(57)【要約】【課題】顕微鏡の電動駆動装置を操作するための操作部と顕微鏡画像とを、顕微鏡画像が観察しやすくなるように表示可能な顕微鏡用コントローラ、顕微鏡を提供する。【解決手段】顕微鏡２用の複数の電動駆動装置６を操作するための操作ボタンを含む操作部１０と、顕微鏡２で得られた顕微鏡画像１１とを表示するための表示部９と、顕微鏡２に搭載可能な電動駆動装置６のうち、現在搭載されていない電動駆動装置６を操作するための前記操作ボタンを非表示とし、顕微鏡２に搭載されている電動駆動装置６を操作するための前記操作ボタンどうしを隣接して表示させる制御部８と、を有することを特徴とする。【選択図】図１０
2010286719.tif 000002
【特許請求の範囲】
【請求項１】
顕微鏡用の複数の電動駆動装置を操作するための操作ボタンを含む操作部と、前記顕微鏡で得られた顕微鏡画像とを表示するための表示部と、
前記顕微鏡に搭載可能な前記電動駆動装置のうち、現在搭載されていない前記電動駆動装置を操作するための前記操作ボタンを非表示とし、前記顕微鏡に搭載されている前記電動駆動装置を操作するための前記操作ボタンどうしを隣接して表示させる制御部と、
を有することを特徴とする顕微鏡用コントローラ。
【請求項２】
前記制御部は、前記顕微鏡に搭載されている前記電動駆動装置を操作するための前記操作ボタンどうしを、前記操作部の表示領域が最小になるように隣接して表示させることを特徴とする請求項１に記載の顕微鏡用コントローラ。
【請求項３】
前記制御部は、前記操作部を前記顕微鏡画像の一部に重ねて表示させることを特徴とする請求項１又は請求項２に記載の顕微鏡用コントローラ。
【請求項４】
前記制御部は、前記操作部を前記顕微鏡画像に隣接して表示させることを特徴とする請求項１又は請求項２に記載の顕微鏡用コントローラ。
【請求項５】
請求項１から請求項４のいずれか一項に記載の顕微鏡用コントローラを有し、
前記顕微鏡用コントローラで操作可能な前記電動駆動装置を搭載したことを特徴とする顕微鏡。
【発明の詳細な説明】
【技術分野】
【０００１】
本発明は、顕微鏡用コントローラ、顕微鏡に関する。
【背景技術】
【０００２】
従来、電動レボルバ等の複数の電動駆動装置を搭載した顕微鏡においては、顕微鏡本体に各電動駆動装置を操作するための多数のスイッチを設けるよりも、顕微鏡用コントローラを用いて各電動駆動装置の操作を行うことが主流となりつつある（例えば、特許文献１を参照。）。そして斯かる顕微鏡用コントローラとして、液晶モニタに顕微鏡で得られた顕微鏡画像とタッチパネル等の操作部とを重ねて表示する構成のものが知られている。
【先行技術文献】
【特許文献】
【０００３】
【特許文献１】特開２０００−５６２２９号公報
【発明の概要】
【発明が解決しようとする課題】
【０００４】
しかしながら、液晶モニタに顕微鏡画像と操作部とを重ねて表示する従来の顕微鏡用コントローラは、液晶モニタにおける操作部の表示領域が大きいため、顕微鏡画像が観察しにくいという問題があった。
また、液晶モニタの表示領域を２つに分割し、一方に顕微鏡画像を表示し、他方に操作部を表示する従来の顕微鏡用コントローラにおいても、モニタにおける操作部の表示領域が大きいため、画像の表示領域が小さくなり顕微鏡画像が観察しにくいという問題があった。
そこで本発明は上記問題点に鑑みてなされたものであり、顕微鏡の電動駆動装置を操作するための操作部と顕微鏡画像とを、顕微鏡画像が観察しやすくなるように表示可能な顕微鏡用コントローラ、顕微鏡を提供することを目的とする。
【課題を解決するための手段】
【０００５】
上記課題を解決するために本発明は、
顕微鏡用の複数の電動駆動装置を操作するための操作ボタンを含む操作部と、前記顕微鏡で得られた顕微鏡画像とを表示するための表示部と、
前記顕微鏡に搭載可能な前記電動駆動装置のうち、現在搭載されていない前記電動駆動装置を操作するための前記操作ボタンを非表示とし、前記顕微鏡に搭載されている前記電動駆動装置を操作するための前記操作ボタンどうしを隣接して表示させる制御部と、
を有することを特徴とする顕微鏡用コントローラを提供する。
【０００６】
また、本発明の顕微鏡用コントローラを有し、
前記顕微鏡用コントローラで操作可能な前記電動駆動装置を搭載したことを特徴とする顕微鏡を提供する。
【発明の効果】
【０００７】
本発明によれば、顕微鏡の電動駆動装置を操作するための操作部と顕微鏡画像とを、顕微鏡画像が観察しやすくなるように表示可能な顕微鏡用コントローラ、顕微鏡を提供することができる。
【図面の簡単な説明】
【０００８】
【図１】（ａ）は本発明の実施形態に係る顕微鏡のシステム構成図であり、（ｂ）はブロック図である。
【図２】（ａ）はリモートコントローラの液晶モニタの表示例を示す図であり、（ｂ）は操作メニューの拡大図である。なお、本図は、電動顕微鏡に全ての電動駆動装置が搭載された様子を示している。
【図３】（ａ）は図２においてサブメニューを表示した様子を示す図であり、（ｂ）は操作メニュー及びサブメニューの拡大図である。
【図４】操作メニュー中の各操作ボタンとそれぞれに対応する詳細操作ボタンの拡大図である。
【図５】操作メニュー中の各操作ボタンとそれぞれに対応する詳細操作ボタンの拡大図である。
【図６】操作メニュー中の各操作ボタンとそれぞれに対応する詳細操作ボタンの拡大図である。
【図７】操作メニュー中の各操作ボタンとそれぞれに対応する詳細操作ボタンの拡大図である。
【図８】リモートコントローラの制御部が実行する表示ルーチンを示すフローチャートである。
【図９】リモートコントローラの液晶モニタの表示例を示す図である。なお、本図は、操作メニュー中に空白部分が生じた様子を示している。
【図１０】リモートコントローラの制御部が表示ルーチンを実行した後の操作メニューの拡大図である。
【発明を実施するための形態】
【０００９】
以下、本発明の実施形態に係る顕微鏡を添付図面に基づいて説明する。
はじめに、本実施形態に係る顕微鏡の全体的な構成を説明する。
図１に示すように顕微鏡１は、電動顕微鏡２と、電動顕微鏡２に装着されたデジタルカメラ３と、電動顕微鏡２及びデジタルカメラ３を操作するためのリモートコントローラ４とからなる。
電動顕微鏡２は、一般的な構成の顕微鏡本体５と、電動レボルバ等の後述する複数の電動駆動装置６と、外付けの顕微鏡制御装置７とからなる。顕微鏡制御装置７は、リモートコントローラ４及び各電動駆動装置６と接続されており、リモートコントローラ４からの指示に基づいて各電動駆動装置６を制御するものである。
【００１０】
リモートコントローラ４は、後述する制御部８を備えたタッチパネル式のリモートコントローラであって、使用者が直接指等で触れて操作するための操作部（後述する図２に示すグラフィカルな複数の操作ボタンからなる操作メニュー１０）と、デジタルカメラ３で撮影された顕微鏡画像（後述する図２に示す顕微鏡画像１１）とを重ねて表示するための液晶モニタ９を備えている。なお、前記操作部は、付属のマウスを用いて操作することも可能である。
上記構成の下、顕微鏡１の使用者は、リモートコントローラ４の液晶モニタ９に表示された操作部によって電動顕微鏡２の各電動駆動装置６を操作することができ、またデジタルカメラ３で撮影された顕微鏡画像を液晶モニタ９で観察することができる。
【００１１】
次に、リモートコントローラ４における液晶モニタ９の具体的な表示例を説明する。ここでは、電動レボルバ、電動コンデンサ、第１電動フィルタカセット、第２電動フィルタカセット、電動励起フィルタ、電動吸収フィルタ、電動光路切り替え装置、電動シャッタ、デジタルカメラ、照明装置、電動絞り（いずれも不図示）を含む、リモートコントローラ４によって操作可能な全ての電動駆動装置６が電動顕微鏡２に搭載されているものとする。なお、第１電動フィルタカセットと第２電動フィルタカセットは同様の構成のフィルタ切り替え装置であり、第１電動フィルタカセットは正立顕微鏡である電動顕微鏡２においてステージよりも上方、第２電動フィルタカセットはステージよりも下方に搭載されている。
【００１２】
リモートコントローラ４の液晶モニタ９には、図２（ａ）に示すようにデジタルカメラ３で撮影された顕微鏡画像１１が画面全体にわたって表示される。そしてこの顕微鏡画像１１に重ねて、各電動駆動装置６を操作するための操作メニュー１０が画面左上に表示される。
操作メニュー１０は、図２（ｂ）にその拡大図を示すように、製品名やメニュー名等の情報を表示するための情報表示領域１２、操作メニュー１０を非表示にするためのクローズボタン１３、固定ボタン群１４、及び操作ボタン群１５で構成されている。固定ボタン群１４は、情報表示領域１２及びクローズボタン１３とともに操作メニュー１０中に常に表示される操作ボタンの集合であり、図７（ｂ）に示すツールボタン１６、インフォメーションボタン１７、及びモードボタン１８からなる。操作ボタン群１５は、各電動駆動装置６を個別に操作するべくそれぞれに対応して設けられた複数の操作ボタンの集合からなる。
【００１３】
ここで、操作ボタン群１５及び固定ボタン群１４の各操作ボタンについて説明する。
操作ボタン群１５において、図２及び図４（ａ）に示す対物レンズボタン２１は、電動顕微鏡２に電動駆動装置６の１つとして搭載された不図示の電動レボルバに保持されている倍率や種類の異なる複数の対物レンズを切り替える際に用いられるものである。使用者がこの対物レンズボタン２１を指示することで図３に示すようにサブメニュー２０が表示され、このサブメニュー２０中には電動レボルバに保持されている各対物レンズに対応した複数の操作ボタンが表示される。なお、サブメニュー２０の表示中、対物レンズボタン２１は通常時と異なる表示色で表示される。また、サブメニュー２０中に表示される操作ボタンを詳細操作ボタンと称する。このような構成により使用者は、所望の対物レンズに対応する詳細操作ボタンを指示することで、電動レボルバを駆動して対物レンズの切り替えを行うことができる。
【００１４】
なお、操作ボタン群１５における対物レンズボタン２１以外の各操作ボタンは、対物レンズボタン２１と同様に、サブメニューを表示し、サブメニュー中の詳細操作ボタンが使用者に指示されることで、対応する電動駆動装置６に所望の動作を行わせるものである。このため、各操作ボタンに対応する電動駆動装置６と詳細操作ボタンについてのみ以下に簡単に述べる。
図２及び図４（ｃ）に示すコンデンサボタンは、不図示の電動コンデンサに対応している。図４（ｄ）に示す各詳細操作ボタンは、電動コンデンサのコンデンサターレットに保持された複数の異なるコンデンサレンズに対応しており、使用者はこれを指示することでコンデンサレンズの切り替えを行うことができる。
【００１５】
図２及び図４（ｅ）に示す第１フィルタボタンは、不図示の第１電動フィルタカセットに対応している。図４（ｆ）に示す各詳細操作ボタンは、第１電動フィルタカセットに保持された波長特性の異なる複数のフィルタに対応しており、使用者はこれを指示することでフィルタの切り替えを行うことができる。
図２及び図４（ｇ）に示す第２フィルタボタンは、不図示の第２電動フィルタカセットに対応している。図４（ｈ）に示す各詳細操作ボタンは、第２電動フィルタカセットに保持された波長特性の異なる複数のフィルタに対応しており、使用者はこれを指示することでフィルタの切り替えを行うことができる。
【００１６】
図２及び図５（ａ）に示す励起フィルタボタンは、不図示の電動励起フィルタに対応している。図５（ｂ）に示す各詳細操作ボタンは、電動励起フィルタに保持された波長特性の異なる複数の励起フィルタに対応しており、使用者はこれを指示することで励起フィルタの切り替えを行うことができる。
図２及び図５（ｃ）に示す吸収フィルタボタンは、不図示の電動吸収フィルタに対応している。図５（ｄ）に示す各詳細操作ボタンは、電動吸収フィルタに保持された波長特性の異なる複数の吸収フィルタに対応しており、使用者はこれを指示することで吸収フィルタの切り替えを行うことができる。
【００１７】
図２及び図５（ｅ）に示す光路切り替えボタンは、不図示の電動光路切り替え装置に対応している。図５（ｆ）に示す各詳細操作ボタンは、電動光路切り替え装置に保持された反射方向の異なる複数の光路反射部材に対応しており、使用者はこれを指示することで光路反射部材の切り替え、即ち観察光路の切り替えを行うことができる。
図２及び図５（ｇ）に示すシャッタボタンは、不図示の電動シャッタに対応している。図５（ｈ）に示す各詳細操作ボタンは、電動顕微鏡２の複数箇所に設けられた各電動シャッタに対応しており、使用者はこれを指示することで各電動シャッタの開閉を行うことができる。
【００１８】
図２及び図６（ａ）に示すカメラボタンは、不図示のデジタルカメラに対応している。図６（ｂ）に示す各詳細操作ボタンは、電動顕微鏡２に設けられた複数のカメラポートに装着された各デジタルカメラ（デジタルカメラ３を含む）に対応しており、使用者はこれを指示することでデジタルカメラの切り替えを行うことができる。
図２及び図６（ｃ）に示す照明ボタンは、不図示の照明装置に対応している。図６（ｄ）に示す各詳細操作ボタンは、電動顕微鏡２に搭載された不図示の透過照明装置と落射照明装置に対応している。使用者は各詳細操作ボタンを指示することで、透過照明装置と落射照明装置をそれぞれ点灯、明るさ調整、ＰＣによる制御への切り替えを行うことができる。
【００１９】
図２及び図６（ｅ）に示す絞りボタンは、不図示の電動絞りに対応している。図６（ｆ）に示す各詳細操作ボタンは、電動顕微鏡２に設けられた電動開口絞りと電動視野絞り（いずれも不図示）に対応している。使用者がいずれかの詳細操作ボタンを指示することで、不図示の「＋」ボタンと「−」ボタンからなるサブメニューがさらに表示され、使用者はこれを指示することで電動開口絞りと電動視野絞りの絞り径を調整することができる。
【００２０】
図２及び図７（ａ）に示すズームボタン２２、ＮＤフィルタボタン２３、ピエゾステージボタン２４、及びＺステージボタン２５とＸＹステージボタン２６は、それぞれ電動顕微鏡２に電動駆動装置６として搭載された電動ズーム、電動ＮＤフィルタ、ピエゾステージ、及び電動ステージ（いずれも不図示）に対応する。使用者が操作ボタン２２〜２６を指示することで、不図示の「＋」ボタンと「−」ボタンからなるサブメニューが表示され、使用者はこれを指示することで顕微鏡倍率の調整、照明光の明るさ調整、ピエゾステージの位置調整、及び電動ステージのＺ方向位置調整とＸＹ方向位置調整を行うことができる。
【００２１】
図２及び図７（ａ）に示すＡＦ追従ボタン２７、及びアナライザボタン２８は、電動顕微鏡２に電動駆動装置６として搭載されたオートフォーカス装置、及び電動アナライザ（いずれも不図示）に対応する。なお、これらの操作ボタンはサブメニューを表示することなく、オートフォーカスの追従モードのオン／オフ、及びアナライザの光路内への挿脱を直接行うことができる。
【００２２】
固定ボタン群１４において、図２及び図７（ｂ）に示すツールボタン１６は、各電動駆動装置６に関する情報等を登録するための不図示のサブメニューを表示するものである。これにより、例えば電動レボルバに保持された対物レンズの倍率等の登録を行うことができる。
図２及び図７（ｂ）に示すインフォメーションボタン１７は、各電動駆動装置６の状態（例えば、使用中の対物レンズ、フィルタ、ＸＹ座標等）を示した不図示のサブメニューを表示するものである。
図２及び図７（ｂ）に示すモードボタン１８は、各電動駆動装置６の状態保存、初期化、及び保存状態への復帰を行うためのものである。
【００２３】
次に、本実施形態に係る顕微鏡１において最も特徴的な構成について説明する。
リモートコントローラ４における制御部８は、上記構成の操作メニュー１０を液晶モニタ９に表示する際に、以下に詳述する図８の表示ルーチンを実行するように構成されている。なお、表示ルーチンは、リモートコントローラ４の電源の入力に伴って開始される。
【００２４】
ステップＳ１：制御部８が電動顕微鏡２にいずれの電動駆動装置６が搭載されているかを確認する。
ステップＳ２：制御部８が液晶モニタ９に操作メニュー１０を表示させる。このとき制御部８は、操作ボタン群１５の表示領域１５ａにステップＳ１で確認された電動駆動装置６に対応する操作ボタンのみを表示させ、電動顕微鏡２に搭載されていない電動駆動装置６に対応する操作ボタンについては非表示とする。このため、上述した複数の電動駆動装置６のうち１つでも電動顕微鏡２に搭載されていない場合には、例えば図９に示すように操作ボタン群１５の表示領域１５ａに表示された操作ボタン間に何も表示されない空白部分３０が生じることとなる。
【００２５】
ステップＳ３：制御部８が操作ボタン群１５の表示領域１５ａに空白部分３０が生じているか否かを確認する。空白部分３０が生じている場合にはステップＳ４へ進み、そうでない場合には表示ルーチンを終了する。
ステップＳ４：制御部８が操作ボタン群１５の表示領域１５ａにおける空白部分３０の位置等を確認する。そして制御部８は、ステップＳ２で表示した各操作ボタンを、当該空白部分３０を埋めるように位置を変更して再度表示させる。具体的には、ステップＳ２で表示した各操作ボタンを、図１０に示すように表示される各操作ボタンどうしが隣り合わせで表示されるように並べ替えられ操作ボタン群１５の表示領域１５ａが最小になるように画面上方へ詰めて再度表示させる。このようにして操作ボタン群１５の表示領域１５ａを小型化することができるため、制御部８はこれに合わせて操作メニュー１０の表示領域１０ａを図１０に示すように小型化して表示ルーチンを終了する。
【００２６】
以上のようにリモートコントローラ４の制御部８が表示ルーチンを実行することで、操作ボタン群１５の表示領域１５ａに、電動顕微鏡２に搭載した電動駆動装置６に対応する操作ボタンのみを互いに隣接して表示させることができる。これにより、操作ボタン群１５の表示領域１５ａを小型化することができ、これによって操作メニュー１０の表示領域１０ａの小型化を実現することができる。したがって、斯かる操作メニュー１０とともに液晶モニタ９に表示される顕微鏡画像１１の表示領域を大きく確保することができるため、使用者は顕微鏡画像１１が見やすく効率的に観察を行うことが可能となる。また、電動顕微鏡２に搭載した電動駆動装置６に対応する操作ボタンのみが互いに隣接して表示されることにより、使用者にとって各操作ボタンの視認性が向上し、また使い勝手が良くなるという効果も奏する。
【００２７】
以上、本実施形態によれば、電動駆動装置６を操作するための操作メニュー１０と顕微鏡画像１１とを、顕微鏡画像１１が観察しやすくなるように表示可能なリモートコントローラ４、顕微鏡１を実現することができる。
なお、本実施形態では、操作メニュー１０の一例を示しており、これを構成する各操作ボタンや詳細操作ボタン等は上述のものに限られない。本実施形態では各操作ボタンの形状は全て略正方形で同一寸法であったが、長方形や円形等の異なる形状や寸法が異なる場合においても有効である。また本実施形態では、操作メニュー１０を顕微鏡画像１１の一部に重ねて表示する構成のリモートコントローラ４を示している。しかし本発明はこれに限られず、操作メニュー１０と顕微鏡画像１１とを重ねずに同時に表示する構成のリモートコントローラ等にも適用可能である。
【符号の説明】
【００２８】
１      顕微鏡
２      電動顕微鏡
４      リモートコントローラ
６      電動駆動装置
８      制御部
９      液晶モニタ
１０    操作メニュー
１０ａ  操作メニューの表示領域
１１    顕微鏡画像
１４    固定ボタン群
１５    操作ボタン群
１５ａ  操作ボタン群の表示領域
２０    サブメニュー
３０    空白部分
【図２】
2010286719.tif 000003
【図３】
2010286719.tif 000004
【図４】
2010286719.tif 000005
【図５】
2010286719.tif 000006
【図６】
2010286719.tif 000007
【図７】
2010286719.tif 000008
【図８】
2010286719.tif 000009
【図９】
2010286719.tif 000010
【図１０】
2010286719.tif 000011
【図１】
2010286719.tif 000012